(57)【要約】【課題】  排水溝体の内部空間内に管状の熱交換体を挿入し、ポットを加温若しくは冷却することができるようにし、保温機能あるいは保冷機能を向上させるとともに、熱交換体からの熱の無駄をなくして、ポットへの熱伝達効率の向上を図る。【解決手段】  ポット２を複数列設保持したポット集合体１と、ポット集合体１のポット２が内部空間Ｓに臨むように支持しポット集合体１側から落下する水を集水して流す排水溝体１０と、排水溝体１０を地面から高い位置に支持する支持体４０とを備え、排水溝体１０の内部空間Ｓ内に、内部空間Ｓ内の空気を加温若しくは冷却する管状の熱交換体２０を挿入し、熱交換体２０の上方にポット集合体１側から落下する水を受けて流下させる遮蔽板３０を設けた。【選択図】図１
2008199986.tif 000002
【特許請求の範囲】
【請求項１】
植物が植えられ排水口が設けられたポット及び該ポットをその外側を露出させて複数列設保持した保持部材を備えたポット集合体と、底壁及び該底壁に連設され上開放の開放口を形成する一対の側壁を有するとともに該底壁及び側壁で囲繞される内部空間に該ポット集合体のポットが臨むように該ポット集合体を支持し該ポット集合体側から落下する水を集水して流す排水溝体と、該排水溝体を地面から高い位置に支持する支持体とを備えた高設栽培装置において、
上記排水溝体の内部空間内に、該内部空間内の空気を加温若しくは冷却する管状の熱交換体を挿入し、上記排水溝体の内部空間内であって上記熱交換体の上方に上記ポット集合体側から落下する水を受けて流下させる遮蔽板を設けたことを特徴とする高設栽培装置。
【請求項２】
上記遮蔽板を、金属板で形成したことを特徴とする請求項１記載の高設栽培装置。
【請求項３】
上記遮蔽板を左右に夫々下向きに傾斜する一対の傾斜板を備えて断面傘型に形成し、該各傾斜板の下縁が対峙する上記排水溝体の側壁との間に空気及び水が流通可能な間隙を設けたことを特徴とする請求項１または２記載の高設栽培装置。
【請求項４】
上記排水溝体の底壁に、該底壁から上側に突出し上記熱交換体を底壁底面より高い位置に支持する支持突起を設けたことを特徴とする請求項１乃至３何れかに記載の高設栽培装置。
【請求項５】
上記排水溝体を、断熱性材料で形成したことを特徴とする請求項１乃至４何れかに記載の高設栽培装置。
【請求項６】
上記ポット集合体の保持部材において、上記ポットの開口の周囲に上記排水溝体の内部空間と連通する貫通孔を設けたことを特徴とする請求項１乃至５何れかに記載の高設栽培装置。
【請求項７】
上記排水溝体の内部空間内であって上記遮蔽板の上方に、上記ポット集合体に向けて散水を行なう散水パイプを挿入したことを特徴とする請求項１乃至６何れかに記載の高設栽培装置。
【請求項８】
上記支持体を、上記排水溝体の長手方向に沿って間隔を隔てて配置され、上端に上記排水溝体を支持する支持部を有し下端に地面に差し込まれて埋設される埋設部を有した複数の支柱を備えて構成したことを特徴とする請求項１乃至７何れかに記載の高設栽培装置。
【発明の詳細な説明】
【技術分野】
【０００１】
本発明は、イチゴ等の果物，野菜，花等の植物を、作業者が立った姿勢で作業をすることが可能な高設栽培に用いられる高設栽培装置に関する。
【背景技術】
【０００２】
従来、この種の高設栽培装置としては、例えば、特開２００６−２５４７４４号公報に記載されたものが知られている（特許文献１参照）。
これは、図９及び図１０に示すように、イチゴ等の果物，野菜，花等の植物が植えられ排水口（図示せず）が設けられたポット１０１及びこのポット１０１をその外側を露出させて複数列設保持した保持部材１０２を備えたポット集合体１００を備え、このポット集合体１００を、ポット集合体１００側から落下する水を集水して流す樹脂シートで形成された排水溝体１０３に支持するとともに、この排水溝体１０３を、パイプで組まれた棚１０４により、地面から高い位置に支持している。
【０００３】
ところで、この従来の高設栽培装置の場合、ポット１０１は、外気等の周囲温度の影響を受けやすく、保温機能あるいは保冷機能が必ずしも良いとはいえない。そのため、例えば、図１０に示すように、排水溝体１０３の内部空間内に、排水溝体１０３内の空気を加温若しくは冷却する管状の熱交換体１０５を挿入し、栽培期間中に、適宜、排水溝体１０３内の空気を加温または冷却し、ポット１０１の温度調節を行なうことが考えられる。
従来、このように、ポットを熱交換体により加温または冷却し、ポットの温度調節を行なう技術としては、例えば、特開平１０−１０８５４８号公報（特許文献２参照）記載の技術が知られている。
【０００４】
【特許文献１】特開２００６−２５４７４４号公報
【特許文献２】特開平１０−１０８５４８号公報
【発明の開示】
【発明が解決しようとする課題】
【０００５】
ところで、この従来の高設栽培装置において、図１０に示すように、排水溝体１０３の内部空間内に、単に管状の熱交換体１０５を挿入した場合、植物に散水があると、ポット集合体１００から水が排水溝体１０３の底面に向けて落下するが、この落下する水が、熱交換体１０５に当たってしまい、そのため、熱交換体１０５の熱が水に奪われて逃げ、それだけ熱の無駄が多くなり、ポット１０１側への熱伝達効率が悪くなっているという問題があった。
【０００６】
本発明は上記の問題点に鑑みて為されたもので、排水溝体の内部空間内に管状の熱交換体を挿入し、ポットを加温若しくは冷却することができるようにし、保温機能あるいは保冷機能を向上させるとともに、熱交換体からの熱の無駄をなくして、ポットへの熱伝達効率の向上を図った高設栽培装置を提供することを目的とする。
【課題を解決するための手段】
【０００７】
このような目的を達成するための本発明の技術的手段は、植物が植えられ排水口が設けられたポット及び該ポットをその外側を露出させて複数列設保持した保持部材を備えたポット集合体と、底壁及び該底壁に連設され上開放の開放口を形成する一対の側壁を有するとともに該底壁及び側壁で囲繞される内部空間に該ポット集合体のポットが臨むように該ポット集合体を支持し該ポット集合体側から落下する水を集水して流す排水溝体と、該排水溝体を地面から高い位置に支持する支持体とを備えた高設栽培装置において、
上記排水溝体の内部空間内に、該内部空間内の空気を加温若しくは冷却する管状の熱交換体を挿入し、上記排水溝体の内部空間内であって上記熱交換体の上方に上記ポット集合体側から落下する水を受けて流下させる遮蔽板を設けた構成としている。
【０００８】
これにより、植物を栽培する場合は、熱交換体により、必要に応じて、排水溝体の内部空間の加温若しくは冷却を行なって、温度管理を行なうとともに、適時に散水を行なう。
この熱交換体による加温若しくは冷却においては、排水溝体の内部空間で加温若しくは冷却され、暖気若しくは冷気が遮蔽板と排水溝体の側壁との間隙を通って上昇し、ポットを加温若しくは冷却する。この場合、適時に散水が行なわれると、ポット内に吸収されなかった水は、ポット集合体から、排水溝体の底壁に向けて落下したり、側壁を伝わって流下するが、落下する水は、遮蔽板に受けられて流下し、直接熱交換体に当たる事態が防止される。そのため、熱交換体の熱が水に奪われて逃げてしまう事態が防止され、それだけ熱の無駄が無く、ポットへの熱伝達効率が向上させられる。
【０００９】
そして、必要に応じ、上記遮蔽板を、金属板で形成した構成としている。これにより、遮蔽板も加温若しくは冷却されると、この遮蔽板からの放熱によっても、ポットを加温若しくは冷却することができる。この場合、遮蔽板は、金属板で形成されているので、放熱効率が良く、満遍なくポットを加温若しくは冷却することができ、ポットへの熱伝達効率が向上させられる。
【００１０】
また、必要に応じ、上記遮蔽板を左右に夫々下向きに傾斜する一対の傾斜板を備えて断面傘型に形成し、該各傾斜板の下縁が対峙する上記排水溝体の側壁との間に空気及び水が流通可能な間隙を設けた構成としている。この場合、遮蔽板の左右から暖気若しくは冷気が上昇するので、満遍なくポットを加温若しくは冷却することができ、より一層ポットへの熱伝達効率が向上させられる。
【００１１】
更に、必要に応じ、上記排水溝体の底壁に、該底壁から上側に突出し上記熱交換体を底壁底面より高い位置に支持する支持突起を設けた構成としている。支持突起は、底壁と一体でもよく、別体になっていても良い。これにより、排水溝体の底壁底面に至った水は、流れて排水されるが、この場合、熱交換体は、支持突起に支持されて底壁底面より高い位置にあるので、底壁底面を流れる水に漬かることが防止され、そのため、熱交換体の熱が水に奪われて逃げてしまう事態が防止され、それだけ熱の無駄が無く、より一層ポットへの熱伝達効率が向上させられる。
【００１２】
更にまた、必要に応じ、上記排水溝体を、断熱性材料で形成した構成としている。排水溝体を通して熱が逃げにくくなり、それだけ熱の無駄が無く、より一層ポットへの熱伝達効率が向上させられる。
【００１３】
また、必要に応じ、上記ポット集合体の保持部材において、上記ポットの開口の周囲に上記排水溝体の内部空間と連通する貫通孔を設けた構成としている。排水溝体の内部空間の暖気若しくは冷気は、貫通孔を通って植物の葉にも及ぶようになる。そのため、ポット内の根のみならず葉の方の温度環境も良好にすることができ、それだけ、植物の成育を円滑に行なわせることができる。
【００１４】
更に、必要に応じ、上記排水溝体の内部空間内であって上記遮蔽板の上方に、上記ポット集合体に向けて散水を行なう散水パイプを挿入した構成としている。散水パイプは、排水溝体の内部空間内にあるので、排水溝体の上方に設けた場合に比較して、邪魔になることが無く、そのため、ポット集合体の排水溝体に対する出し入れが容易になり、それだけ、設置作業が容易に行なわれる。
【００１５】
そしてまた、必要に応じ、上記支持体を、上記排水溝体の長手方向に沿って間隔を隔てて配置され、上端に上記排水溝体を支持する支持部を有し下端に地面に差し込まれて埋設される埋設部を有した複数の支柱を備えて構成している。これにより、本高設栽培装置を設置するときは、支持体の支柱を、適宜間隔で地面に差し込み、この支柱に排水溝体を支持するが、支柱を一列に差し込む簡単な作業で設置を行なうことができるので、設置作業が容易に行なわれる。また、設置作業性の向上に加えて、足元が広くなり、栽培管理を容易に行なうことができるようになる。
【発明の効果】
【００１６】
本発明の高設栽培装置によれば、植物を栽培する場合は、熱交換体により、必要に応じて、排水溝体の内部空間の加温若しくは冷却を行なって、ポットを加温若しくは冷却することができるようになり、保温機能あるいは保冷機能を向上させることができる。
また、この熱交換体による加温若しくは冷却において、適時に散水が行なわれると、ポット内に吸収されなかった水は、ポット集合体から、排水溝体の底壁に向けて落下したり、側壁を伝わって流下するが、落下する水は、遮蔽板に受けられて流下し、直接熱交換体に当たる事態を防止することができる。そのため、熱交換体の熱が水に奪われて逃げてしまう事態を防止することができ、それだけ熱の無駄を無くし、ポットへの熱伝達効率を向上させることができる。
【発明を実施するための最良の形態】
【００１７】
以下、添付図面に基づいて、本発明の実施の形態に係る高設栽培装置について詳細に説明する。
本発明の実施の形態に係る高設栽培装置は、図１乃至図５に示すように、その基本的構成は、ポット集合体１と、このポット集合体１を支持する排水溝体１０と、この排水溝体１０を地面から高い位置に支持する支持体４０とを備えてなる。
【００１８】
ポット集合体１は、イチゴ等の果物，野菜，花等の植物が植えられるポット２と、このポット２をその外側を露出させて複数列設保持した保持部材３とを備えてなる。ポット２及び保持部材３は、実施の形態では樹脂で一体成形されている。
ポット２は、底壁２ａ及びこれに連続し上側に開口４を有した側壁２ｂを備え、全体が逆円錐台のカップ状に形成されている。底壁２ａ及び側壁２ｂには、排水口５が網目状に多数設けられている。ポット２は、行列状に複数個（実施の形態では２×３＝６個）が保持部材３に保持されている。
【００１９】
保持部材３は、各ポット２の開口４同士が所定間隔離間して配置されるように、各開口４に連設されてポット２を支持する略矩形状の平板部３ａと、平板部３ａの４つのコーナー部に垂設された脚部３ｂとを備えて構成されている。
また、保持部材３の平板部３ａには、図１及び図４に示すように、ポット２の開口４の周囲に、排水溝体１０の後述の内部空間Ｓと連通する貫通孔６が設けられている。
そして、図３に示すように、ポット集合体１の複数個が、排水溝体１０に列設されて支持される。
【００２０】
排水溝体１０は、底壁１１及び底壁１１に連設され上開放の開放口１２を形成する一対の側壁１３を有して構成され、底壁１１及び側壁１３で囲繞される内部空間Ｓに、ポット集合体１のポット２が臨むように、ポット集合体１を支持し、ポット集合体１側から落下する水を集水して流すものである。排水溝体１０は、断熱性材料で一体形成されている。断熱性材料としては、例えば、発泡ポリスチレン等の発泡合成樹脂が選択される。
詳しくは、排水溝体１０は、底壁１１と、この底壁１１の左右端縁に立設される一対の下側側壁１３ａと、各下側側壁１３ａの上端から底壁１１に平行に外側に向けて突設され上面に上記のポット集合体１の脚部３ｂを支承する一対の支承壁１４と、この各支承壁１４の端縁に夫々立設される一対の上側側壁１３ｂとから構成されている。底壁１１の中央には、底壁１１から上側に突出し後述の熱交換体２０を底壁１１の底面１１ａより高い位置に支持する支持突起１５が突設されている。
排水溝体１０は、所定長さのものが用いられ、必要に応じて、いくつか連設されて用いられ、両端部は閉塞される。また、排水溝体１０の、適宜の箇所、例えば一方の端部の底壁１１には、底壁１１の底面１１ａに連通し、底壁１１を流れる水を排水する図示外の排水パイプが接続される。
【００２１】
排水溝体１０の内部空間Ｓ内であって、底壁１１及び下側側壁１３ａで囲繞される下側の空間内には、排水溝体１０の長手方向に沿って、内部空間Ｓ内の空気を加温若しくは冷却する管状の熱交換体２０が挿入されている。熱交換体２０は、排水溝体１０の底壁１１から上側に突出した支持突起１５上に支持され、底壁１１の底面１１ａより高い位置に位置させられている。
【００２２】
熱交換体２０は、図６に示すように、熱交換媒体Ｗを充填した断面円形の外管２１と、外管２１内に熱交換媒体Ｗを気化もしくは液化させる熱伝達管２２とを備える。外管２１に充填する熱交換媒体Ｗは、気化または液化を容易に行なうものであれば良く、水を利用することができる。ここでは、外管２１内部を常圧より減圧した状態にすることにより水の沸点を下げ、低温で気化させることができる。熱伝達管２２は、熱交換媒体Ｗに熱を供給することができる。この場合、熱源は、所望の温度を熱交換媒体Ｗに供給できる流体であればよく温水または蒸気を利用できる。これにより、熱交換体２０は、放熱作用を奏する。また、熱伝達管２２は、熱交換媒体Ｗから熱を吸収することができる。この場合、熱源は、所望の温度を熱交換媒体Ｗに供給できる流体であればよく冷水を利用できる。これにより、熱交換体２０は、吸熱作用を奏する。熱伝達管２０として、熱供給用及び熱吸収用として共用してもよく、熱供給用のものと、熱吸収用のものと、別個に設けても良い。  
【００２３】
また、排水溝体１０の内部空間Ｓ内であって熱交換体２０の上方には、ポット集合体１側から落下する水を受けて流下させる遮蔽板３０が設けられている。遮蔽板３０は、取付金具３１を介して、支承壁１４に架設されている。遮蔽板３０は、放熱効果の高い例えば胴板等の金属板で形成されている。
遮蔽板３０は、左右に夫々下向きに傾斜する一対の傾斜板３２を備えて断面傘型に形成されている。各傾斜板３２の下縁が対峙する排水溝体１０の下側側壁１３ａとの間には、空気及び水が流通可能な間隙３３が設けられている。
【００２４】
更に、排水溝体１０の内部空間Ｓ内であって、遮蔽板３０の上方に、ポット集合体１に向けて散水を行なう散水パイプ３５が挿入されている。この散水パイプ３５からの水は、ポット２の排水口５からポット２内の培土に吸収せしめられる。あるいは、保持部材３の貫通孔６を通して、ポット２の上側に噴射させられ、ポット２の開口４からも培土に吸収せしめられ、また、植物の葉などに散布せしめられる。
【００２５】
支持体４０は、排水溝体１０の長手方向に沿って設けられ、底壁１１を外側から支承する断面チャンネル状の底壁支承杆４１と、一対の支承壁１４を外側から夫々支承する断面チャンネル状の一対の支承壁支承杆４２とを備えている。底壁支承杆４１及び一対の支承壁支承杆４２は、排水溝体１０の長手方向に沿って間隔を隔てて配置される帯状でコ字状に折曲形成された固定金具４３によって連結されている。固定金具４３は、排水溝体１０の幅方向に伸びる水平部４３ａと、水平部４３ａの両端から立設された一対の垂直部４３ｂとを備えており、水平部４３ａに底壁支承杆４１が固定され、垂直部４３ｂに支承壁支承杆４２が固定されている。固定金具４３の垂直部４３ｂは排水溝体１０の上側側壁１３ｂの外側に接するように延びており、排水溝体１０の上側側壁１３ｂを押えて左右方向への移動を規制している。
【００２６】
また、支持体４０は、排水溝体１０の長手方向に沿って間隔を隔てて配置され支承杆４１，４２及び固定金具４３を介して排水溝体１０を支持する複数の支柱５０を備えている。支柱５０は、上端に排水溝体１０を支承する支承部５１を有している。支承部５１は排水溝体１０の長手方向に直交する方向に延びる板で構成され、図４及び図５に示すように、固定金具４３の水平部４３ａにボルト５２及びナット５３で取り付けられている。また、支柱５０は、下端に地面に差し込まれて埋設される埋設部５４を有している。埋設部５４とこれより上側の一般部５５との境界には、地面に当接するベース板５６が設けられている。ベース板５６は、埋設部５４の上側周囲に放射状に突設された複数のフィン５７に溶接等で固着され、補強されている。
【００２７】
更に、図７にも示すように、支柱５０の一般部５５は、埋設部５４及び支承部５１側の一対の反割り内管５５ａと、これに摺動可能に挿入された外管５５ｂとを備えて、伸縮自在になっており、適宜の長さ位置で、反割り内管５５ａに設けたストッパボルト５８を締め付けて反割り内管５５ａを拡張して外管５５ｂに対して圧接させて固定することにより、内管５５ａが外管５５ｂに対して固定される。これにより、排水溝体１０の高さ位置が調整される。
【００２８】
従って、本発明の実施の形態に係る高設栽培装置を設置するときは、先ず、支持体４０の支柱５０を、適宜間隔で地面に打ち込む。この際は、支柱５０の埋設部５４を地中に差し込んで埋設する。支柱５０が打ち込まれた状態では、埋設部５４にはベース板５６が設けられているので、支柱５０を垂直に保持しやすくなり、また、埋設部５４には複数のフィン５７が設けられているので、回り止めも行なわれ、そのため、支柱５０の安定が保持される。
次に、支持体４０の底壁支承杆４１及び支承壁支承杆４２を、固定金具４３を介して、支柱５０の支承部５１に支承し、固定金具４３の水平部４３ａと支承部５１とをボルト５２及びナット５３で固定する。
この状態で、排水溝体１０を支持体４０に支持する。この場合、排水溝体１０の底壁１１を底壁支承杆４１に支承するとともに、一対の支承壁１４を一対の支承壁支承杆４２に夫々支承する。そして、支柱５０の一般部５５において、内管５５ａと外管５５ｂとを適宜伸縮させ、適宜の長さ位置で、ストッパボルト５８を締め付けて内管５５ａを外管５５ｂに対して固定し、排水溝体１０の高さ位置を調整する。
【００２９】
この排水溝体１０の設置においては、支柱５０を地面に差し込み、底壁支承杆４１及び支承壁支承杆４２を固定金具４３を介して支柱５０に取り付け、排水溝体１０を底壁支承杆４１及び支承壁支承杆４２に支承させる簡単な作業で設置を行なうことができるので、設置作業が容易に行なわれる。特に、支柱５０を一列に差し込むので、設置作業性の向上に加えて、足元が広くなり、その後の、栽培管理を容易に行なうことができるようになる。
その後、熱交換体２０を排水溝体１０の支持突起１５に支持する。これにより、熱交換体２０が底壁１１の底面１１ａより高い位置に位置させられる。更に、熱交換体２０の上方に、取付金具３１を介して遮蔽板３０を設ける。更にまた、遮蔽板３０の上方に、散水パイプ３５を設ける。
【００３０】
そして、ポット集合体１を、その保持部材３の脚部３ｂを排水溝体１０の支承壁１４に支承して、排水溝体１０に支持する。ポット集合体１のポット２には、予め、培土を入れ、植物の種を播種し、あるいは、植物の苗木を移植しておく。図３に示すように、ポット集合体１は、その複数個が、排水溝体１０に列設されて支持される。この場合、散水パイプ３５は、排水溝体１０の内部空間Ｓ内にあるので、排水溝体１０の上方に設けた場合に比較して、邪魔になることが無く、ポット集合体１の設置作業が容易に行なわれる。
【００３１】
次に、本発明の実施の形態に係る高設栽培装置により、植物を栽培する場合について説明する。栽培過程においては、熱交換体２０により、必要に応じて、排水溝体１０の内部空間Ｓの加温若しくは冷却を行なって、温度管理を行なうとともに、適時に散水パイプ３５からの散水を行なう。尚、散水は、別途ポット集合体１の上方から、シャワーなどで行なうようにしても良い。
この熱交換体２０による加温若しくは冷却においては、図４に示すように、排水溝体１０の内部空間Ｓで加温若しくは冷却され、暖気若しくは冷気が遮蔽板３０の傾斜板３２と排水溝体１０の側壁１３との間隙３３を通って上昇し、ポット２を加温若しくは冷却する。この場合、遮蔽板３０の左右から暖気若しくは冷気が上昇するので、満遍なくポット２を加温若しくは冷却することができ、ポット２への熱伝達効率が向上させられる。また、遮蔽板３０も加温若しくは冷却され、遮蔽板３０からの放熱によっても、ポット２を加温若しくは冷却する。この場合、遮蔽板３０は、金属板で形成されているので、放熱効率が良く、これによっても、満遍なくポット２を加温若しくは冷却することができ、ポット２への熱伝達効率が向上させられる。
【００３２】
また、ポット集合体１の保持部材３においては、ポット２の開口４の周囲に貫通孔６が設けられているので、図４に示すように、排水溝体１０の内部空間Ｓの暖気若しくは冷気は、この貫通孔６を通って植物の葉にも及ぶようになる。そのため、根のみならず葉の方の温度環境も良好にすることができ、それだけ、植物の成育を円滑に行なわせることができる。
更に、排水溝体１０は、発泡ポリスチレン等の断熱性材料で形成されているので、排水溝体１０を通して熱が逃げにくくなり、それだけ熱の無駄が無く、ポット２への熱伝達効率が向上させられる。
【００３３】
また、この熱交換体２０による加温若しくは冷却の過程においては、図５に示すように、適時に散水パイプ３５からの散水が行なわれ、あるいは、別途ポット集合体１の上方から散水が行なわれる。この場合、ポット２内に吸収されなかった水は、ポット集合体１から、排水溝体１０の底壁１１に向けて落下したり、側壁１３を伝わって流下するが、図５に示すように、落下する水は、遮蔽板３０に受けられて流下し、遮蔽板３０の傾斜板３２と排水溝体１０の側壁１３との間隙３３を通って底壁１１に至る。そのため、落下する水が、直接熱交換体２０に当たる事態が防止されるので、熱交換体２０の熱が水に奪われてて逃げてしまう事態が防止され、それだけ熱の無駄が無く、ポット２への熱伝達効率が向上させられる。
【００３４】
更にまた、排水溝体１０の底壁１１の底面１１ａに至った水は、流れて排水される。この場合、熱交換体２０は、支持突起１５に支持されて底壁１１の底面１１ａより高い位置にあるので、底壁１１の底面１１ａを流れる水に漬かることが防止され、そのため、熱交換体２０の熱が水に奪われて逃げてしまう事態が防止され、それだけ熱の無駄が無く、より一層ポット２への熱伝達効率が向上させられる。
【００３５】
植物の成育が進み、収穫するときは、ポット集合体１を排水溝体１０から取外す。この場合、散水パイプ３５は、排水溝体１０の内部空間Ｓ内にあるので、排水溝体１０の上方に設けた場合に比較して、邪魔になることが無く、ポット集合体１の取出し作業が容易に行なわれる。
【００３６】
図８には、本発明の実施の形態に係る高設栽培装置の別の例を示している。これは、底壁支承杆４１及び支承壁支承杆４２を、多段（図では２段）に設け、これらを固定金具７０に取り付けて、支柱５０に支持し、排水溝体１０を多段（図では２段）に設けたものである。排水溝体１０には、夫々、熱交換体２０及び散水パイプ３５が挿入されている。栽培面積が増えるので、栽培効率が極めてよくなる。
【００３７】
尚、上記の実施の形態において、熱交換体２０は、熱交換媒体を充填した外管５５ｂと、外管５５ｂ内に設けられ熱交換媒体を気化もしくは液化させる熱伝達管とを備えて構成したが、必ずしもこれに限定されるものではなく、単に、温水あるいは冷水を流すパイプで構成してもよく、適宜変更して差支えない。また、ポット集合体１は、ポット２と保持部材３とが一体成形されているが、別体になっていても良い。
【図面の簡単な説明】
【００３８】
【図１】本発明の実施の形態に係る高設栽培装置を示す斜視図である。
【図２】本発明の実施の形態に係る高設栽培装置を示す正面断面図である。
【図３】本発明の実施の形態に係る高設栽培装置を示す側面断面図である。
【図４】本発明の実施の形態に係る高設栽培装置において熱伝達管による熱の伝達状態を示す要部断面図である。
【図５】本発明の実施の形態に係る高設栽培装置において散水パイプによる散水の状態を示す要部断面図である。
【図６】本発明の実施の形態に係る高設栽培装置の熱伝達管の構成を示す図である。
【図７】本発明の実施の形態に係る高設栽培装置において支持体の支柱の要部横断面図である。
【図８】本発明の実施の形態に係る別の高設栽培装置を示す正面断面図である。
【図９】従来の高設栽培装置の一例を示す斜視図である。
【図１０】従来の高設栽培装置の不具合を示す断面図である。
【符号の説明】
【００３９】
１  ポット集合体
２  ポット
３  保持部材
５  排水口
６  貫通孔
１０  排水溝体
Ｓ  内部空間
１１  底壁
１２  開放口
１３  側壁
１３ａ  下側側壁
１３ｂ  上側側壁
１４  支承壁
１５  支持突起
２０  熱交換体
Ｗ  熱交換媒体
２１  外管
２２  熱伝達管
３０  遮蔽板
３１  取付金具
３２  傾斜板
３３  間隙
４０  支持体
４１  底壁支承杆
４２  支承壁支承杆
４３  固定金具
５０  支柱
５１  支承部
５４  埋設部
５５  一般部
５６  ベース板
５７  フィン
【図１】
2008199986.tif 000003
【図２】
2008199986.tif 000004
【図３】
2008199986.tif 000005
【図４】
2008199986.tif 000006
【図５】
2008199986.tif 000007
【図６】
2008199986.tif 000008
【図７】
2008199986.tif 000009
【図８】
2008199986.tif 000010
【図９】
2008199986.tif 000011
【図１０】
2008199986.tif 000012